(57)【要約】      （修正有）【課題】薬剤払出装置に関し、トレイの薬剤上に処方箋が適切に載せられるようにする。【解決手段】空中放出部９は、処方箋の両側に設けた外側ローラ１５、１６と、両側の外側ローラ１５、１６間に設けた内側ローラ１７、１８と、を有し、外側ローラ１５、１６を構成する上ローラ１５ａ、１６ａと下ローラ１５ｂ、１６ｂの接触位置よりも、内側ローラ１７、１８を構成する上ローラと下ローラの接触位置を、上方位置としたので、空中放出部９から放出される処方箋には、外側が低く、内側が高い癖が付けられ、その結果として、処方箋が空中放出部９から放出される状態では、処方箋は、例えば、紙飛行機のように空気に載った状態で、前方側に放出され、これにより、トレイの薬剤上に処方箋が適切に載せられるようにする事ができる。【選択図】図８
2014117366.tif 000002
【特許請求の範囲】
【請求項１】
複数の薬剤を保管した薬剤保管部と、この薬剤保管部から処方箋データに基づいてトレイ内に薬剤を払い出す薬剤払出機構と、前記処方箋データを印刷用紙にプリントして、処方箋を作るプリンタと、このプリンタで作成した処方箋を、前記薬剤が払い出されたトレイ側に搬送する搬送路と、この搬送路の下流側において、処方箋を空中に放出する空中放出部と、を備え、前記空中放出部は、処方箋の両側に設けた外側ローラと、両側の外側ローラ間に設けた内側ローラと、を有し、前記外側ローラを構成する上ローラと下ローラの接触位置よりも、前記内側ローラを構成する上ローラと下ローラの接触位置を、上方位置とした薬剤払出装置。
【請求項２】
空中放出部において、両側の外ローラ間には、複数の内側ローラを配置した請求項１に記載の薬剤払出装置。
【請求項３】
外側ローラを構成する上ローラと、内側ローラを構成する上ローラを同一回動軸に装着するとともに、外側ローラを構成する上ローラの外径よりも、内側ローラを構成する上ローラの外径を小さくした請求項１または２に記載の薬剤払出装置。
【請求項４】
外側ローラを構成する下ローラと、内側ローラを構成する下ローラを同一回動軸に装着するとともに、外側ローラを構成する下ローラの外径よりも、内側ローラを構成する下ローラの外径を大きくした請求項３に記載の薬剤払出装置。
【請求項５】
空中放出部の下流側に処方箋反転機構を設け、この処方箋反転機構は、上面が開口した反転容器と、この反転容器を回動させる回動機構により構成した請求項１から４のいずれか一つに記載の薬剤払出装置。
【請求項６】
反転容器の処方箋放出方向に直行する少なくとも一つの壁面には、処方箋放出方向に向けて形成したスリットを設けた請求項５に記載の薬剤払出装置。
【請求項７】
反転容器の処方箋放出方向下流側の壁面には、空中放出部から放出された処方箋の先端に当てて、この処方箋を反転容器内に落下案内するガイド板を設けた請求項５または６に記載の薬剤払出装置。
【請求項８】
ガイド板は、反転容器の開口部が上方に位置している状態において、反転容器内側に傾斜したガイド部と、このガイド部の下方において、反転容器の内面に当接する当接部と、この当接部において、ガイド板を上下方向に回動させる軸支部と、を有する構成とした請求項７に記載の薬剤払出装置。
【請求項９】
反転容器の下方には、トレイ待機部を配置した請求項５から８のいずれか一つに記載の薬剤払出装置。
【請求項１０】
薬剤が払い出されたトレイを、トレイ待機部に搬送するトレイ搬送機構を設けた請求項５から９のいずれか一つに記載の薬剤払出装置。
【発明の詳細な説明】
【技術分野】
【０００１】
本発明は、例えば、病院業務の効率化を図るための薬剤払出装置に関するものである。
【背景技術】
【０００２】
従来のこの種、薬剤払出装置は、複数の薬剤を保管した薬剤保管部と、この薬剤保管部から処方箋データに基づいてトレイ内に薬剤を払い出す薬剤払出機構と、前記処方箋データを印刷用紙にプリントして、処方箋を作るプリンタと、このプリンタで作成した処方箋を、前記薬剤が払い出されたトレイ側に搬送する搬送路と、この搬送路の下流側において、処方箋を空中に放出する空中放出部と、を備えた構成となっている（たとえば、下記特許文献１）。
【先行技術文献】
【特許文献】
【０００３】
【特許文献１】特開２００７−１１７７０８号公報
【発明の概要】
【発明が解決しようとする課題】
【０００４】
上記従来の薬剤払出装置は、薬剤が払い出されたトレイ内に、空中放出部から処方箋を放出することで、トレイ内の薬剤上に処方箋を載せる構成となっている。
【０００５】
例えば、薬剤師は、上方の処方箋を手に取り、その内容とトレイ内に払い出された薬剤を確認するようになっている。
【０００６】
このような構成において、課題となるのは、空中放出部から放出された処方箋が、トレイの薬剤上に適切に載せられない事態が発生するということであった。
【０００７】
すなわち、プリンタで処方箋データを印刷用紙にプリントすることによって、処方箋は作成されるのであるが、印刷用紙には、プリンタのドラムの外周面に沿った状態で、このプリンタの外周面に沿った湾曲面のような癖がつき、この状態で搬送路を介して空中放出部へと搬送され、空中放出部からトレイ側に向けて放出される。ここで、空中放出部から、トレイ側に放出される処方箋の先端側は、先端が上方に向けて湾曲する癖が残った状態で放出されることになるが、この処方箋の先端側に、上方湾曲癖が残っていると、前方側への放出時に、前記上方湾曲癖が抵抗となり、その結果として、処方箋は、前方側へとスムーズに放出されず、これにより、上述のごとく、トレイの薬剤上に処方箋が適切に載せられない事態となるのである。
【０００８】
そこで本発明は、トレイの薬剤上に処方箋が適切に載せられるようにする事を目的とするものである。
【課題を解決するための手段】
【０００９】
そしてこの目的を達成するために本発明は、複数の薬剤を保管した薬剤保管部と、この薬剤保管部から処方箋データに基づいてトレイ内に薬剤を払い出す薬剤払出機構と、前記処方箋データを印刷用紙にプリントして、処方箋を作るプリンタと、このプリンタで作成した処方箋を、前記薬剤が払い出されたトレイ側に搬送する搬送路と、この搬送路の下流側において、処方箋を空中に放出する空中放出部と、を備え、前記空中放出部は、処方箋の両側に設けた外側ローラと、両側の外側ローラ間に設けた内側ローラと、を有し、前記外側ローラを構成する上ローラと下ローラの接触位置よりも、前記内側ローラを構成する上ローラと下ローラの接触位置を、上方位置とし、これにより、所期の目的を達成するものである。
【発明の効果】
【００１０】
以上のように本発明の薬剤払出装置は、複数の薬剤を保管した薬剤保管部と、この薬剤保管部から処方箋データに基づいてトレイ内に薬剤を払い出す薬剤払出機構と、前記処方箋データを印刷用紙にプリントして、処方箋を作るプリンタと、このプリンタで作成した処方箋を、前記薬剤が払い出されたトレイ側に搬送する搬送路と、この搬送路の下流側において、処方箋を空中に放出する空中放出部と、を備え、前記空中放出部は、処方箋の両側に設けた外側ローラと、両側の外側ローラ間に設けた内側ローラと、を有し、前記外側ローラを構成する上ローラと下ローラの接触位置よりも、前記内側ローラを構成する上ローラと下ローラの接触位置を、上方位置としたので、トレイの薬剤上に処方箋が適切に載せられるようにする事ができるようになる。
【００１１】
すなわち、本発明においては、前記空中放出部は、処方箋の両側に設けた外側ローラと、両側の外側ローラ間に設けた内側ローラと、を有し、前記外側ローラを構成する上ローラと下ローラの接触位置よりも、前記内側ローラを構成する上ローラと下ローラの接触位置を、上方位置としたので、空中放出部から放出される処方箋には、外側が低く、内側が高い癖が付けられ、その結果として、処方箋が空中放出部から放出される状態では、処方箋は、例えば、紙飛行機のように空気に載った状態で、前方側に放出され、これにより、トレイの薬剤上に処方箋が適切に載せられるようにする事ができるようになるのである。
【図面の簡単な説明】
【００１２】
【図１】本発明の一実施形態に係る薬剤払出装置の斜視図
【図２】同薬剤払出装置の処方箋の搬送部分を示す正面図
【図３】同薬剤払出装置の処方箋の搬送部分を示す斜視図
【図４】同薬剤払出装置の処方箋の搬送部分を示す拡大斜視図
【図５】同薬剤払出装置の処方箋の搬送部分を示す側面断面図（図１のＡ−Ａ断面図）
【図６】図５の拡大断面図
【図７】図５の拡大斜視図
【図８】図５の空中放出部を示す斜視図
【図９】同空中放出部を示す斜視図
【図１０】同空中放出部を示す斜視図
【図１１】同空中放出部を示す断面図
【図１２】従来の処方箋の状態を示す斜視図
【図１３】本実施形態の処方箋の状態を示す斜視図
【図１４】同空中放出部を示す断面図
【図１５】同空中放出部を示す断面図
【図１６】同空中放出部を示す断面図
【図１７】同空中放出部を示す断面図
【図１８】同空中放出部を示す斜視図
【図１９】同空中放出部を示す斜視図
【図２０】同空中放出部を示す斜視図
【図２１】同空中放出部を示す断面図
【図２２】同空中放出部を示す斜視図
【図２３】同空中放出部を示す斜視図
【図２４】同空中放出部を示す斜視図
【図２５】同空中放出部を示す斜視図
【図２６】同空中放出部を示す断面図
【図２７】同空中放出部を示す断面図
【図２８】同空中放出部を示す斜視図
【図２９】同空中放出部を示す斜視図
【図３０】同空中放出部を示す断面図
【発明を実施するための形態】
【００１３】
（実施の形態１）
以下に、本発明の実施の形態１を図面とともに詳細に説明する。
図１において、１は本体ケースで、この本体ケース１の左側には、薬剤を払い出すためのトレイ２が積層状態で複数配置されている。
【００１４】
また、本体ケース１の前面側には、扉３が開閉自在に設けられており、この扉３の背面側には複数の薬剤が保管された薬剤保管部（図示せず）が設けられている。この薬剤保管部、及びこの薬剤保管部から処方箋データに基づいて、トレイ２内に薬剤を払い出す薬剤払出機構（図示せず）は、よく知られた構成であるので、説明の煩雑化を避けるため、簡単に説明する。
【００１５】
つまり、トレイ２は、本体ケース１の内部下方に搬送され、そこで、待機状態となっている。そして、処方箋データに基づいて、薬剤保管部から薬剤払出機構によって取り出された薬剤は、この下方のトレイ２内に払いだされることになる。
そして、そのトレイ２は、次に、図１、図２に示すごとく、右側に搬送され、この部分において、トレイ２内の薬剤上に処方箋（図１３の４）が載せられることになっている。
【００１６】
また、薬剤上に処方箋４が載せられたトレイ２は、図１の右側へと搬送され、上下方向に積層される。そして、図１のごとく、上下方向に搬送されたトレイ２は、医療従事者によって各人の病室へと移送されるようになっている。
【００１７】
本実施形態の特徴は、処方箋４を、薬剤が払い出されたトレイ２に搬送する点にあり、以下、この点について詳細に説明する。
【００１８】
まず、図２〜図７に示すプリンタ５において、処方箋データが印刷用紙にプリントされ、それが、処方箋４となるが、まず、この処方箋４は、ベルト６、７によって形成された搬送路８を介して、空中放出部９から空中へと放出される。
【００１９】
次に、空中放出部９から、空中に放出された処方箋４は、次に、図８〜図１１、及び図１４〜図２１に示す空中放出部９の下流側に設けた処方箋反転機構１０へと放出され、次に、この処方箋反転機構１０によって、処方箋４を反転させた状態で、下方に移送されてきているトレイ２上へと移送される。
【００２０】
つまり、本実施形態におけるプリンタ５は、図５、図６において示された処方箋４の上面側に印刷がなされているので、搬送路８を介し空中放出部９から放出された状態では、処方箋反転機構１０においては、処方箋４の下面側に印刷部分が存在する状態となるので、この処方箋反転機構１０において、再度反転させた後に、下方のトレイ２内に供給するようにしている。
【００２１】
この状態では、トレイ２内には、薬剤が払い出され、この薬剤上に処方箋４が載せられた状態となるが、この処方箋４には、上面に印刷がなされた状態となる。このため、医療従事者は、この処方箋４を手に取り、トレイ２内に払い出された薬剤との照合を簡単に行うことができるようになっている。
【００２２】
なお、この実施形態においては、プリンタ５の上方に、図３、図５に示すように、ラベルプリンタ１１が配置されており、このラベルプリンタ１１では、本体ケース１外でトレイ２上に手配をする薬剤（例えば、輸液バッグ）に貼り付けるためのラベル１２を作成に、このラベル１２には、ベルト１３、１４、次に、ベルト６、７、搬送路８を介して空中放出部９から処方箋反転機構１０へと放出される。
【００２３】
なお、このようなラベル１２が用意される場合には、図１７、１８から理解されるように、処方箋４を処方箋反転機構１０へと移送前に、この処方箋４下に置かれるように、処方箋反転機構１０へと放出される。
【００２４】
従って、この処方箋反転機構１０が反転して、トレイ２内の薬剤上に載せられた場合には、ラベル１２が上、処方箋４が下となるようにして、トレイ２内に配置されることになる。
【００２５】
また、ラベル１２も、同様に、ラベルプリンタ１１で印刷された際には、上面側に印刷がなされ、空中放出部９から処方箋反転機構１０へと放出される際には、印刷は下面側になるが、この処方箋反転機構１０で反転して、トレイ２内に配置された状態では、処方箋４と同じように、印刷面は上面側となる。
【００２６】
このため、このラベル１２に関しても、医療従事者は、簡単にその内容を識別し、例えば、上述した輸液バッグに貼り付けることができる。そして、このラベル１２を貼り付けた輸液バッグと共に、処方箋４に記載された内容と薬剤の内容が確認される。
【００２７】
図１２は、従来の空中放出部（図示せず）によってトレイ２側に放出される処方箋４を示している。この図１２から理解されるように、処方箋４には、プリンタ５内の印刷ドラム（図示せず）に沿った癖として、先端側と後端側が上方に持ちあがった湾曲状の癖がついた状態となっている。このため、この図１２に示す状態の処方箋４を、空中放出部から前方側に放出すると、この処方箋４の先端側が上方に浮き上がるような状態で放出されることになり、その結果として、処方箋４は、前方側へと十分に空中放出することはできず、手前側に落下した状態となる。
【００２８】
このようになると、トレイ２内に適切に配置することができなくなり、また、複数の処方箋４を排出する場合には、空中放出部近傍に折り重なるような状態で落下し、この時には、空中放出部を塞ぐような状態にもなり、以降の処方箋４排出ができなくなる惧れもある。
【００２９】
特に、処方箋４は、ラベル１２よりも大判なので、この処方箋４を適切な状態で、空中放出部９から放出させる必要がある。
【００３０】
そこで、本実施形態では、図８、図１０、図１１に示すように、空中放出部９を次のような構成とした。
【００３１】
つまり、空中放出部９は、処方箋４の両側に設けた外側ローラ１５、１６と、両側の外側ローラ１５、１６間に設けた内側ローラ１７、１８と、を有し、外側ローラ１５、１６を構成する上ローラ１５ａ、１６ａと下ローラ１５ｂ、１６ｂの接触位置よりも、内側ローラ１７、１８を構成する上ローラ１７ａ、１８ａと下ローラ１７ｂ、１８ｂの接触位置を、上方位置とした。
【００３２】
具体的には、外側ローラ１５、１６を構成する上ローラ１５ａ、１６ａと、内側ローラ１７、１８を構成する上ローラ１７ａ、１８ａを同一回動軸１９に装着するとともに、外側ローラ１５、１６を構成する上ローラ１５ａ、１６ａの外径よりも、内側ローラ１７、１８を構成する上ローラ１７ａ、１８ａの外径を小さくしている。
【００３３】
また、外側ローラ１５、１６を構成する下ローラ１５ｂ、１６ｂと、内側ローラ１７、１８を構成する下ローラ１７ｂ、１８ｂを同一回動軸２０に装着するとともに、外側ローラ１５、１６を構成する下ローラ１５ｂ、１６ｂの外径よりも、内側ローラ１７、１８を構成する下ローラ１７ｂ、１８ｂの外径を大きくしている。
【００３４】
なお、これらの外側ローラ１５、１６、及び内側ローラ１７、１８の上ローラ１５ａ、１６ａ、１７ａ、１８ａは、ベルト６によって駆動される構成となっている。また、これらの外側ローラ１５、１６、及び内側ローラ１７、１８の下ローラ１５ｂ、１６ｂ、１７ｂ、１８ｂは、ベルト７によって駆動される構成となっている。
【００３５】
そして、これら上ローラ１５ａ、１６ａ、１７ａ、１８ａと、下ローラ１５ｂ、１６ｂ、１７ｂ、１８ｂによって、挟まれた状態で、処方箋４は、処方箋反転機構１０へと放出される。
【００３６】
つまり、以上の構成とすれば、図１３に示すごとく、処方箋４の両側は下方、内側は上方に持ち上げられた状態となり、このような癖がついた処方箋４であれば、前方側に放出される際の用紙としての腰が強くなり、しかも、空中に放出された場合には、空気に載った紙飛行機のように、前方へと放出されやすくなり、この結果として、空中放出部９の近傍に落下滞留することはなくなる。
【００３７】
次に、このように前方へと勢いよく放出された処方箋４は、前方に配置したガイド板２１により、下方へと落下案内される。
【００３８】
つまり、処方箋反転機構１０は、上面が開口した反転容器２２と、この反転容器２２を回動させる回動軸２３を含む回動機構２４により構成されている。
【００３９】
また、反転容器２２の処方箋放出方向に直行する少なくとも一つの壁面には、図１８〜図２０に示すごとく、処方箋放出方向に向けて形成したスリット２５を設けている。
【００４０】
そして、前記ガイド板２１は、図２１〜図３０に示すごとく、反転容器２２の処方箋放出方向下流側の壁面に設けられたものである。このガイド板２１は、後で詳細に説明するが、図２１〜図２６に示すごとく、反転容器２２の開口部が上方に位置している状態において、反転容器２２内側に傾斜したガイド部２６と、このガイド部２６の下方において、反転容器２２の内面に当接する当接部２７と、この当接部２７において、ガイド板２１を上下方向に回動させる軸支部２８と、を有する構成としている。
【００４１】
以上の構成とすれば、上述のごとく、空中放出部９から放出された処方箋４は、図１３に示すごとく、処方箋４の両側は下方、内側は上方に持ち上げられた状態となり、このような癖がついた処方箋４であれば、前方側に放出される際の用紙としての腰が強くなり、しかも、空中に放出された場合には、空気に載った紙飛行機のように、前方へと放出されやすくなり、この結果として、空中放出部９の近傍に落下滞留することはなくなる。
【００４２】
その後、このように前方へと勢いよく放出された処方箋４は、次に、図２１〜図２６に示すガイド板２１のガイド部２６に衝突し、次にこのガイド部２６の傾斜により、下方の反転容器２２内へと落下させられ、その結果として、図２０の破線で示すごとく、反転容器２２内に適切に落下収納される。
【００４３】
なお、この図２０に示すごとく、反転容器２２内の空中放出部９から放出される処方箋４の放出方向の中央部分には、この放出方向に直行する状態で突起板２９が設けられているので、反転容器２２内に収まった処方箋４は、その中央部分が持ち上げられ、前後方向が下方となる、安定した形状で収納されることになる。
【００４４】
続いて、この反転容器２２を反転させることで、処方箋４とラベル１２を下方のトレイ２内の薬剤上に移送するために、回転軸２３を、図２０に示すごとく、時計方向に回転させ、その結果として、反転容器２２を、図２７〜図３０に示すごとく、反転させる。
【００４５】
この時、図２０において、処方箋４のスリット２５側の一部は、スリット２５に係り、その結果として、このスリット２５側が基点となって、処方箋４は、反転容器２２とともに、図２０の矢印Ａ方向（時計方向）に回転し、図２７のごとく、反転容器２２が、完全に反転した状態で、下方のトレイ２上へと落下、移送されることになる。
【００４６】
この時、ガイド板２１は、図２７〜図３０に示すごとく、そのガイド部２６が反転容器２２の内壁面に沿うような状態になるので、処方箋４がトレイ２上に落下するのを、このガイド板２１が阻害することはない。
【００４７】
つまり、ガイド板２１のガイド部２６は、軸支部２８からの長さが、当接部２７の軸支部２８からの長さよりも長くしているので、反転容器２２の開口部が、図２１、図２６に示すごとく、上方に開口した状態であれば、ガイド部２６は、反転容器２２内側に傾斜した状態で保持され、逆に、反転容器２２の開口部が、図２８〜図３０のごとく、下方に開口した状態になると、このガイド部２６は、反転容器２２の内壁面に当接する状態となり、この結果として、処方箋４を下方のトレイ２内に落下、移送させる際に、障害となることはない。
【００４８】
なお、反転容器２２の下方には、トレイ２のトレイ待機部３０が設けられ、薬剤が支払われたトレイには、このトレイ待機部３０にトレイ搬送機構３１により搬送されるようになっている。
【産業上の利用可能性】
【００４９】
以上のように本発明においては、空中放出部９は、処方箋４の両側に設けた外側ローラ１５、１６と、両側の外側ローラ１５、１６間に設けた内側ローラ１７、１８と、を有し、外側ローラ１５、１６を構成する上ローラ１５ａ、１６ａと下ローラ１５ｂ、１６ｂの接触位置よりも、内側ローラ１７、１８を構成する上ローラ１７ａ、１８ａと下ローラ１７ｂ、１８ｂの接触位置を、上方位置としたので、空中放出部９から放出される処方箋４には、外側が低く、内側が高い癖が付けられ、その結果として、処方箋４が空中放出部９から放出される状態では、処方箋４は、例えば、紙飛行機のように空気に載った状態で、前方側に放出され、これにより、トレイ２の薬剤上に処方箋４が適切に載せられるようにする事ができるようになるのである。
【００５０】
従って、病院などで活用される薬剤払出装置としての活用が期待される。
【符号の説明】
【００５１】
１  本体ケース
２  トレイ
３  扉
４  処方箋
５  プリンタ
６、７  ベルト
８  搬送路
９  空中放出部
１０  処方箋反転機構 
１１  ラベルプリンタ
１２  ラベル
１３、１４  ベルト
１５、１６  外側ローラ
１７、１８  内側ローラ
１５ａ、１６ａ  上ローラ
１５ｂ、１６ｂ  下ローラ
１７ａ、１８ａ  上ローラ
１７ｂ、１８ｂ  下ローラ
１９  同一回動軸
２０  同一回動軸
２１  ガイド板
２２  反転容器
２３  回動軸
２４  回動機構
２５  スリット
２６  ガイド部
２７  当接部
２８  軸支部
２９  突起板
３０  トレイ待機部
３１  トレイ搬送機構
【図１】
2014117366.tif 000003
【図２】
2014117366.tif 000004
【図３】
2014117366.tif 000005
【図４】
2014117366.tif 000006
【図５】
2014117366.tif 000007
【図６】
2014117366.tif 000008
【図７】
2014117366.tif 000009
【図８】
2014117366.tif 000010
【図９】
2014117366.tif 000011
【図１０】
2014117366.tif 000012
【図１１】
2014117366.tif 000013
【図１２】
2014117366.tif 000014
【図１３】
2014117366.tif 000015
【図１４】
2014117366.tif 000016
【図１５】
2014117366.tif 000017
【図１６】
2014117366.tif 000018
【図１７】
2014117366.tif 000019
【図１８】
2014117366.tif 000020
【図１９】
2014117366.tif 000021
【図２０】
2014117366.tif 000022
【図２１】
2014117366.tif 000023
【図２２】
2014117366.tif 000024
【図２３】
2014117366.tif 000025
【図２４】
2014117366.tif 000026
【図２５】
2014117366.tif 000027
【図２６】
2014117366.tif 000028
【図２７】
2014117366.tif 000029
【図２８】
2014117366.tif 000030
【図２９】
2014117366.tif 000031
【図３０】
2014117366.tif 000032